(57)【要約】【課題】梱包物の小型化を行うことができ、また、耐久性の高いペダル式ゴミ箱を提供することと。【解決手段】ゴミ箱本体２の底部に設けられたペダル収容部２２内に、ペダル５を長手方向にスライド可能に収容する。ペダル収容部２２の側面に形成された長穴２７に、ペダルの揺動軸５３を摺動可能に嵌合する。ペダルの踏部５１が使用者に踏まれると、ペダル５が揺動軸５３回りに揺動し、ペダルの本体部５２の先端が内容器の底面４４に当接して内容器４を上方に駆動し、内容器４の上端が蓋３を押し上げて、蓋３が枢着軸２９ａ回りに回動して全開になる。不使用時や搬送時には、ペダル５を背面側にスライドさせてゴミ箱本体２内に収納する。複数のペダル式ゴミ箱１を梱包する際、ペダル収容部２２の高さ方向の寸法に相当する距離をおいて、複数のゴミ箱本体２を互いに密に積み重ねることができる。【選択図】図１
2008137759.tif 000002
【特許請求の範囲】
【請求項１】
上部に開口を有するゴミ箱本体と、
上記ゴミ箱本体に枢着され、上記開口を開閉する蓋と、
上記蓋を開放する駆動力を伝達する伝達部材と、
上記ゴミ箱本体の下部に揺動可能に配置され、踏力を受ける踏部と、この踏部と一体に形成されて上記伝達部材に駆動力を与える本体部とを有するペダルと、
上記ペダルをスライドさせて、上記踏部の先端が上記ゴミ箱本体の外周面よりも内側に位置するように、上記ペダルをゴミ箱本体内に収納させるスライド構造と
を備えることを特徴とするペダル式ゴミ箱。
【請求項２】
請求項１に記載のペダル式ゴミ箱において、
上記伝達部材は、上記ゴミ箱本体の内側に収容された内容器であり、
上記ペダルが上記踏部に踏力を受けて揺動するに伴って、上記ペダルの本体部が上記内容器の底に当接して上記内容器を上方に駆動し、上記内容器の上端が上記蓋の枢着軸の近傍に当接して上記蓋を枢着軸回りに回動させるように形成されていることを特徴とするペダル式ゴミ箱。
【請求項３】
請求項１に記載のペダル式ゴミ箱において、
上記伝達部材は、上記ゴミ箱本体の背面側に配置され、上端が上記蓋の枢着軸の近傍に連結されていると共に下端が上記ペダルの本体部に連結されたロッドであり、
上記ペダルが上記踏部に踏力を受けて揺動するに伴って、上記ロッドが上方に移動して上記蓋を枢着軸回りに回動させるように形成されていることを特徴とするペダル式ゴミ箱。
【請求項４】
請求項１に記載のペダル式ゴミ箱において、
上記スライド構造は、上記ゴミ箱本体の底部に形成された長穴と、上記ペダルの本体部に形成され、上記長穴に嵌合すると共に上記長穴の長手方向に摺動可能な揺動軸とを有することを特徴とするペダル式ゴミ箱。
【発明の詳細な説明】
【技術分野】
【０００１】
本発明は、ペダルによって開放される蓋を備えたペダル式ゴミ箱に関する。
【背景技術】
【０００２】
従来より、ゴミ箱本体の下部にペダルを備え、このペダルが操作者に踏まれるに伴って、ゴミ箱本体の上部の蓋が開放するように形成したペダル式ゴミ箱が知られている。この種のペダル式ゴミ箱は、ペダルがゴミ箱本体の外周面よりも突出しているので、この突出部分が不使用時や搬送時に邪魔になるという不都合がある。また、搬送時の梱包物が大きくなって搬送コストの増大を招くという不都合がある。
【０００３】
このような不都合を解消するため、従来、ペダルを先端部材と本体部材とで構成し、上記先端部材を本体部材に枢着して回動可能に形成したペダル式ゴミ箱が提案されている（例えば、特許文献１：登録実用新案第３０１４８８号公報参照）。このペダル式ゴミ箱は、ペダルの先端部材を回動させてゴミ箱本体の外周面に沿って直立させることにより、不使用時や搬送時にペダルの突出部分が邪魔になる不都合を防止するようにしている。
【０００４】
しかしながら、上記従来のペダル式ゴミ箱は、ペダルの回動した先端部材が、ゴミ箱本体の外周面に沿って直立するので、この先端部材が厚み方向にゴミ箱本体の外周面から突出する。複数個のペダル式ゴミ箱を梱包する場合、複数のゴミ箱本体を順次積み重ねてスタック状態にすることが好ましいが、上記従来のペダル式ゴミ箱は、上側に積み重ねられるゴミ箱本体のベダルの突出部分が、下側のゴミ箱本体の開口部に係止することになり、スタック状態に梱包することができない。
【０００５】
そこで、従来、ゴミ箱本体のペダルの突出位置から上側に凹部を形成し、この凹部内に、ペダルの回動した先端部材を収納するようにしたペダル式ゴミ箱が提案されている（例えば、特許文献２：特開平１１−２２７８１３号公報参照）。このペダル式ゴミ箱は、ペダルの先端部材を回動させて凹部内に収納することにより、ゴミ箱本体の外周面よりも突出するペダルの部分を無くしている。これにより、不使用時やスタック状態での梱包時にペダルの突出部分が邪魔になる不都合を、解消している。
【特許文献１】登録実用新案第３０１４８８号公報
【特許文献２】特開平１１−２２７８１３号公報
【発明の開示】
【発明が解決しようとする課題】
【０００６】
しかしながら上記従来のいずれのペダル式ゴミ箱も、ペダルを別体の先端部材と本体部材とで構成しているので、ペダル式ゴミ箱を構成する部品点数が多くて製造コストが高く、また、組み立てに手間がかかるという問題がある。また、ペダルを別体の先端部材と本体部材とで構成し、上記先端部材を本体部材に回動可能に枢着しているので、この枢着部分が破損し易く、ペダル式ゴミ箱の耐久性の低下を招き易いという問題がある。また凹部を設けた従来のペダル式ゴミ箱は、凹部を設けた分、ゴミ収容量が低下するという問題がある。
【０００７】
そこで、本発明は、梱包物の小型化を行うことができ、また、耐久性の高く、ゴミ収容量の低下を招かないペダル式ゴミ箱を提供することを課題とする。
【課題を解決するための手段】
【０００８】
上記課題を解決するため、本発明のペダル式ゴミ箱は、上部に開口を有するゴミ箱本体と、上記ゴミ箱本体に枢着され、上記開口を開閉する蓋と、上記蓋を開放する駆動力を伝達する伝達部材と、上記ゴミ箱本体の下部に揺動可能に配置され、踏力を受ける踏部と、この踏部と一体に形成されて上記伝達部材に駆動力を与える本体部とを有するペダルと、上記ペダルをスライドさせて、上記踏部の先端が上記ゴミ箱本体の外周面よりも内側に位置するように、上記ペダルをゴミ箱本体内に収納させるスライド構造とを備えることを特徴としている。
【０００９】
上記構成によれば、ゴミ箱本体の下部に配置されたペダルが、スライド構造によってスライドされてゴミ箱本体内に収納され、ペダルの踏部の先端がゴミ箱本体の外周面よりも内側に位置する。これにより、不使用時や梱包時にペダルの突出部分が邪魔になる不都合が確実に防止される。
【００１０】
また、上記ペダルをスライド構造によってスライドさせてゴミ箱本体内に収納するので、従来のように、ペダルの回動した先端部材を収容する凹部をゴミ箱本体に形成する必要が無い。したがって、凹部を設けない分ゴミ収容量を増大させることができる。
【００１１】
また、上記ペダルは、踏部と本体部が一体に形成されているので、ペダルの部品点数を従来よりも少なくできて、ペダル式ゴミ箱の製造コストを低減でき、また、少ない手間でペダル式ゴミ箱を組み立てることができる。また、上記ペダルは、踏部と本体部を一体に形成しているので、強度の低下を防止できて、耐久性の高いペダル式ゴミ箱が得られる。
【００１２】
一実施形態のペダル式ゴミ箱は、上記伝達部材は、上記ゴミ箱本体の内側に収容された内容器であり、上記ペダルが上記踏部に踏力を受けて揺動するに伴って、上記ペダルの本体部が上記内容器の底に当接して上記内容器を上方に駆動し、上記内容器の上端が上記蓋の枢着軸の近傍に当接して上記蓋を枢着軸回りに回動させるように形成されている。
【００１３】
上記実施形態によれば、上記内容器内にゴミが投入されることにより、ゴミの廃棄時には、内容器のみをゴミ箱本体から取り出してゴミの廃棄作業を行うことができる。内容器は、ゴミ箱本体のように枢着された蓋やペダル等が無く、例えば把手を有するバケツ等で簡易に構成される。したがって、ゴミの廃棄を容易に行うことができる。さらに、ゴミの廃棄時に蓋やペダルにゴミが付着することがなく、また、内容器の縁部等にゴミが付着しても容易に除去することができる。その結果、内容器や、この内容器を収容するゴミ箱本体を容易に清潔に保つことができる。
【００１４】
このような内容器を備えたペダル式ゴミ箱において、内容器が伝達部材を兼ねるので、ゴミの廃棄が容易で衛生的なペダル式ゴミ箱を、少ない部品点数で構成できる。また蓋を取り外した状態のペダル式ゴミ箱をスタック状態で梱包するのに適している。
【００１５】
一実施形態のペダル式ゴミ箱は、上記伝達部材は、上記ゴミ箱本体の背面側に配置され、上端が上記蓋の枢着軸の近傍に連結されていると共に下端が上記ペダルの本体部に連結されたロッドであり、上記ペダルが上記踏部に踏力を受けて揺動するに伴って、上記ロッドが上方に移動して上記蓋を枢着軸回りに回動させるように形成されている。
【００１６】
上記実施形態によれば、伝達部材をロッドで形成することにより、少ないスペースによって蓋を開閉できる。さらに、ペダルの本体部に連結されたロッドは、ペダルがスライド構造によってスライドされるときに、このペダルのスライドに追従して所定位置にスライドできる。したがって、従来のロッドを備えるペダル式ゴミ箱に、本発明のスライド構造を容易に適用できる。
【００１７】
一実施形態のペダル式ゴミ箱は、上記スライド構造は、上記ゴミ箱本体の底部に形成された長穴と、上記ペダルの本体部に形成され、上記長穴に嵌合すると共に上記長穴の長手方向に摺動可能な揺動軸とを有する。
【００１８】
上記実施形態によれば、ペダルの揺動軸が長穴の長手方向の一端に位置するとき、ペダルが揺動自在となり、このペダルの踏部に踏力を受けて伝達部材に駆動力を与える。一方、ペダルがスライドされて、このペダルの揺動軸が長穴の長手方向の他端に達すると、ペダルの踏部の先端がゴミ箱本体の外周面よりも内側に位置する。このように、簡易な構成によって、不使用時や搬送時にペダルをゴミ箱本体内に収容して、ペダルの突出に起因する問題点を効果的に解消できるペダル式ゴミ箱が得られる。
【発明の効果】
【００１９】
上述のように、本発明によれば、ゴミ箱本体の下部に配置されたペダルを、スライド構造によってスライドしてゴミ箱本体内に収納することができ、ペダルの突出に起因する問題点を解消できる。また従来例のように凹部を必要としないので、ゴミ収容量を増大させることができる。さらに、ゴミ箱本体内に収容可能なペダルを単一の部材で構成できるので、従来よりもペダルの強度を増大できて、耐久性の高いペダル式ゴミ箱が得られる。
【発明を実施するための最良の形態】
【００２０】
以下、本発明のペダル式ゴミ箱を図示の実施形態により詳細に説明する。
【００２１】
（第１実施形態）
図１は、本発明の第１実施形態のペダル式ゴミ箱を示す断面図である。
【００２２】
このペダル式ゴミ箱１は、上部に開口を有するゴミ箱本体２と、このゴミ箱本体２の開口を開閉する蓋３と、ゴミ箱本体２の内側に配置された伝達部材としての内容器４と、ゴミ箱本体２の下部に配置されたペダル５とで大略構成されている。
【００２３】
図２（ａ）はゴミ箱本体２の下部を示す部分断面図であり、図２（ｂ）はゴミ箱本体２を上側から見た様子を示す平面図である。このゴミ箱本体２は上部に開口２１を有し、上端から下側に向うにつれて直径が小さくなるテーパー状の有底円筒形状に形成されている。ゴミ箱本体２の底には、底面の一部が上側に隆起したような直方体形状のペダル収容部２２が設けられている。このペダル収容部２２に連なるペダル開口２３が、ゴミ箱本体の外周面の下端前面に設けられている。
【００２４】
上記ペダル収容部２２の天面には、前後方向の中央に対して背面寄りに、矩形の貫通穴２４が設けられている。また、ペダル収容部２２の天面には、前後方向の中央に対して前面寄りに、ペダルストッパ２５が設けられている。このペダルストッパ２５は、ペダル収容部２２の天面にコ字状の貫通溝が切り込まれて形成された板バネ部２５ａと、この板バネ部２５ｂの下側面に突出する突起２５ｂとを有する。ペダル収容部２２の背面には内部貫通穴２６が形成されて、ゴミ箱本体２の内部に連なっている。
【００２５】
上記ペダル収容部２２の側面には、前後方向に延在する長穴２７が形成されている。この長穴２７は、上端縁がペダル収容部２２の天面に沿うように、ペダル収容部２２の側面を貫通して形成されている。この長穴２７の前後方向の略中央に、長穴２７の下端縁からペダル収容部２２の下端縁に向って延びるガイド溝２８が設けられている。ペダル式ゴミ箱を組み立てる際、上記ガイド溝２８を経由して、後述するペダルの揺動軸５３を長穴２７内に嵌合するようになっている。
【００２６】
ゴミ箱本体２の上部に、外周面の背面側に突出した軸支持部２９が形成されており、この軸支持部２９の側面に枢着軸２９ａが設けられている。この枢着軸２９ａに、ゴミ箱本体の開口２１を開閉する蓋３が枢着されている。
【００２７】
上記蓋３は概ね円盤形状を有し、ゴミ箱本体の枢着軸２９ａを収容する軸受部３１と、この軸受部３１の近傍から前面に向って延びる当接板３２を有する。この当接板３２は、蓋３の前後方向の断面において、下端が前面側に向かって下り勾配に形成されている。
【００２８】
上記内容器４は、上部に円形の開口４１を有し、上端から下側に向うにつれて直径が小さくなるテーパー状の有底円筒形状に形成されている。この内容器４の上部には、開口４１の内側に沿って湾曲した半円弧状の把手４２が設けられている。この内容器４内に投入されたゴミを廃棄するとき、上記把手４２を起立させて把持して、内容器４をゴミ箱本体２から引き上げるようになっている。内容器４をゴミ箱本体２内に収容したとき、内容器の底面４４が、ゴミ箱本体のペダル収容部２２の天面に対向する。
【００２９】
図３（ａ）はペダル５の平面図であり、図３（ｂ）はペダル５の側面図である。図３（ｂ）において、幅方向の中央における縦断面の一部を重ねて示している。このペダル５は、ゴミ箱本体２のペダル収容部２２内にスライド自在に収容されており、ゴミ箱の使用時にペダル開口２３から突出する踏部５１と、この踏部５１と一体に形成された本体部５２とを有する。ペダルの踏部５１の上側面には、滑り止めの凹部５１ａが複数個形成されている。ペダルの本体部５２には、上側面の近傍に、幅方向に延びる揺動軸５３が設けられている。この揺動軸５３は、ペダル５の両側面から幅方向外側に突出して形成されており、揺動軸５３の突出部分がペダル収容部の長穴２７に嵌合している。ペダルの本体部５２の表面に、揺動軸５３の背面側に隣接して、使用時にペダル収容部のペダルストッパ２５が係合する第１係合溝５５が形成されている。また、ペダルの本体部５２の表面に、揺動軸５３よりも前面側の位置に、不使用時にペダル収容部のペダルストッパ２５が係合する第２係合溝５６が設けられている。ペダルの本体部５２の揺動軸５３よりも背面側の部分は、揺動軸側の部分よりも狭い幅に形成され、かつ、側面視においてＶ字状に屈曲している。このペダルの本体部５２の背面側の端部に、内容器の底面４４に当接する半円板状の突起５８が幅方向両側に夫々設けられている。
【００３０】
上記構成のペダル式ゴミ箱１は、以下のようにして蓋３の開き動作をする。すなわち、ゴミ箱本体のペダル開口２３から突出したペダルの踏部５１が、操作者によって踏まれる。これに伴い、ペダル５が揺動軸５３回りに揺動し、ペダルの本体部５２の先端側部分がペダル収容部２２の貫通穴２４から突出して、ペダルの突起５８が内容器の底面４４に当接して内容器４に上向きの駆動力を与える。このとき、ペダルの揺動軸５３に隣接する第１係合溝５５が、ペダル収容部のペダルストッパ２５に係合されているので、ペダル５の揺動軸５３は長穴２７の前面側の端に保持された状態で回動する。ペダル５からの駆動力によって内容器４が上向きに駆動されると、内容器４の上端が蓋の当接板３２の下端に当接する。内容器４が更に上方に駆動されるに伴い、内容器４の上端が、蓋の当接板３２の下端に沿って摺動しながら蓋３を押し上げて、蓋３が枢着軸２９ａ回りに回動して全開位置に達する。図４は、ペダル式ゴミ箱１の蓋３が全開位置に達した様子を示す断面図である。内容器４内にゴミを投入した後、操作者がペダルの踏部５１から足を離すと、内容器４が自重で下方に移動する。これと共に蓋３が自重で閉じ方向に回動して、ゴミ箱本体の開口２１が閉じる。
【００３１】
ペダル式ゴミ箱１の不使用時や搬送時には、ペダル５をゴミ箱本体２内に収納する。すなわち、ペダルの踏部５１に背面向きの力を与え、ペダル第１係合溝５５とペダルストッパ２５との係合を解いてペダル５を背面側にスライドさせる。これにより、ペダルの揺動軸５３がペダル収容部の長穴２７に沿って摺動して背面側の端に達すると共に、ペダル第２係合溝５６にペダルストッパ２５が係合して、ペダル５が収納位置に保持される。こうして、図５の断面図に示すように、ペダルの踏部５１の先端がゴミ箱本体２の外周面よりも内側に位置するように、ペダル５がゴミ箱本体２内に収納される。したがって、このペダル式ゴミ箱１は、不使用時や搬送時にペダルの突出部分が邪魔になる不都合を確実に防止できる。
【００３２】
このペダル式ゴミ箱１は、複数のペダル式ゴミ箱１を梱包するとき、梱包物を小型にできる。すなわち、複数のペダル式ゴミ箱１を梱包するとき、ゴミ箱本体２から蓋３と内容器４を取り外して、複数のゴミ箱本体２を積み重ねてスタック状態にする。このとき、複数のゴミ箱本体２は、上側のゴミ箱本体２の下端が、下側のゴミ箱本体２のペダル収容部２２の天面に接するように順次積み重なる。図６は、複数のゴミ箱本体２をスタック状態にした様子を示す断面図である。図６に示すように、複数のゴミ箱本体２を、ゴミ箱本体２の下端からペダル収容部２２の天面までの寸法に相当する距離をおいて順次積み重ねることができる。この距離は、ペダル５の厚み方向の寸法と概ね同じである。したがって、従来のペダル式ゴミ箱のように、ペダルの先端部材を回動させて収納する凹部をゴミ箱本体が形成された場合と比較して、複数のゴミ箱本体２を大幅に密に積み重ねることができる。その結果、複数のペダル式ゴミ箱１を梱包してなる梱包物を従来よりも小型にできて、搬送コストの削減を行うことができる。
【００３３】
また、このペダル式ゴミ箱１が備えるペダル５は、踏部５１と本体部５２を一体に形成しているので、ペダルを別体の先端部材と本体部材とで構成した従来よりも、部品点数を少なくできる。したがって、ペダル式ゴミ箱１の製造コストを低減でき、また、少ない手間でペダル式ゴミ箱１を組み立てることができる。また、上記ペダル５は、踏部５１と本体部５２を一体に形成しているので、先端部材を本体部材に回動可能に枢着した従来よりも強度を増大することができる。したがって、耐久性の高いペダル式ゴミ箱１が得られる。
【００３４】
また、このペダル式ゴミ箱１は、ゴミを廃棄する際、内容器の把手４２が把持されて、内容器４のみがゴミ箱本体２から取り出される。この内容器４には、ゴミ箱本体２のように蓋３やペダル５が無いので、容易にゴミを廃棄することができ、また、ゴミの廃棄時に蓋３やペダル５にゴミが付着することも無い。さらに、内容器４の縁部や外周面等にゴミが付着しても、内容器４の掃除を容易に行うことができる。その結果、内容器４やゴミ箱本体２を容易に清潔に保つことができる。
【００３５】
（第２実施形態）
図７は、本発明の第２実施形態のペダル式ゴミ箱を示す断面図である。このペダル式ごみ箱１０１は、伝達部材としてロッドを用いる点が、第１実施形態のペダル式ゴミ箱１と相違する。
【００３６】
このペダル式ゴミ箱１０１は、上部に開口を有するゴミ箱本体１０２と、このゴミ箱本体１０２の開口を開閉する蓋１０３と、ゴミ箱本体１０２の下部に配置されたペダル１０５と、このペダル１０５と蓋１０３とを連結するロッド１０６とで大略構成されている。
【００３７】
ゴミ箱本体１０２は、上部に矩形の開口１２１を有し、テーパー状の有底角柱形状に形成されている。ゴミ箱本体１０２の底部の幅方向中央に、前後方向に延びる溝状のペダル収容部１２２が形成されている。このペダル収容部１２２に連なるペダル開口１２３が、ゴミ箱本体の外周面の下端前面に設けられている。上記ペダル収容部１２２の側面には、前後方向に延在する長穴１２７が形成されている。この長穴１２７に、後述するペダルの揺動軸１５３が摺動自在に嵌合している。
【００３８】
ゴミ箱本体１０２の上部の背面側に軸支持部１２９が形成されており、この軸支持部１２９の側面に設けられた枢着軸１２９ａに、蓋１０３が枢着されている。
【００３９】
上記蓋１０３は概ね矩形状を有し、ゴミ箱本体１０２の枢着軸１２９ａを収容する軸受部１３１と、この軸受部１３１の近傍に設けられた溝状のロッド当接部１３２とを有する。
【００４０】
ペダル１０５は、ペダル収容部１２２内にスライド自在に収容されており、ゴミ箱の使用時にペダル開口１２３から突出する踏部１５１と、この踏部１５１と一体に形成された本体部１５２とを有する。ペダルの本体部１５２には、ペダル１０５の長手方向の略中央に、ペダル収容部の長穴１２７に嵌合する揺動軸１５３が設けられている。ペダルの本体部１５２の背面側の端には、ロッド１０６の下端が連結されている。
【００４１】
ロッド１０６は、ゴミ箱本体１０２の背面部のロッド収容溝１１０内に収容されている。ロッド収容溝１１０は、ゴミ箱本体１０２の背面に、幅方向中央に上下方向に延びている。ロッド収容溝１１０の下端は、ペダル収容部１２２の背面側の端に連なっている。ロッド１０６は金属製の棒材で形成されており、ペダル１０５が使用位置にあるとき、ロッド１０６とロッド収容溝の底１１０ａとが略並行になるように配置されている。
【００４２】
上記構成のペダル式ゴミ箱１０１は、ペダルの踏部１５１が操作者に踏まれるに伴って、ペダル１０５が揺動軸１５３回りに揺動し、ロッド１０６が上方に駆動される。これにより、ロッド１０６の上端がロッド当接部１３２に当接して蓋１０３を上向きに押し上げ、蓋１０３が枢着軸１２９ａ回りに回動して全開位置に達する。図８は、ペダル式ゴミ箱１０１の蓋１０３が全開位置に達した様子を示す断面図である。ゴミ箱本体１０２内にゴミを投入した後、操作者がペダルの踏部１５１から足を離すと、蓋１０３が自重で閉じ方向に回動してゴミ箱本体の開口１２１が閉じる。
【００４３】
ペダル式ゴミ箱１０１の不使用時や搬送時には、ペダル１０５をゴミ箱本体１０２内に収納する。すなわち、ペダルの踏部１５１に背面向きの力を与えて、ペダル１０５を背面側にスライドさせる。これにより、ペダルの揺動軸１５３がペダル収容部の長穴１２７に沿って摺動して背面側の端に達する。また、ロッド１０６の下端がペダル１０５と共に背面側に移動する一方、ロッド１０６の上端はロッド当接部１３２の近傍に留まる。これにより、側面視において、ロッド１０６の延在方向が、ゴミ箱本体の最背面１１１と略平行になる。このゴミ箱本体の最背面１１１は、ゴミ箱本体１０２を後述するスタック状態にできるように、かつ、収納状態の上記ロッド１０６と略平行となるように、緩やかなテーパー傾斜面に形成されている。ペダル１０５がゴミ箱本体１０２内に収納されると、図９の断面図に示すように、ペダルの踏部１５１の先端がゴミ箱本体１０２の外周面よりも内側に位置する。したがって、このペダル式ゴミ箱１０１は、不使用時や搬送時にペダルの突出部分が邪魔になる不都合を確実に防止できる。
【００４４】
また、上記ペダル１０５は、踏部１５１と本体部１５２を一体に形成しているので、従来よりも部品点数を少なくできて、ペダル式ゴミ箱１０１の製造コストを低減でき、また、少ない手間でペダル式ゴミ箱１０１を組み立てることができる。また、上記ペダル１０５は、踏部１５１と本体部１５２を一体に形成しているので、従来よりも強度を増大することができる。したがって、耐久性の高いペダル式ゴミ箱１０１が得られる。
【図面の簡単な説明】
【００４５】
【図１】本発明の第１実施形態のペダル式ゴミ箱を示す断面図である。
【図２】図２（ａ）はゴミ箱本体の下部の部分断面図であり、図２（ｂ）はゴミ箱本体の平面図である。
【図３】図３（ａ）はペダルの平面図であり、図３（ｂ）はペダルの側面図である。
【図４】蓋が全開位置に達した様子を示す断面図である。
【図５】ペダルがゴミ箱本体内に収納された様子を示す断面図である。
【図６】複数のゴミ箱本体をスタック状態にした様子を示す断面図である。
【図７】本発明の第２実施形態のペダル式ゴミ箱を示す断面図である。
【図８】蓋が全開位置に達した様子を示す断面図である。
【図９】ペダルがゴミ箱本体内に収納された様子を示す断面図である。
【符号の説明】
【００４６】
１、１０１  ペダル式ゴミ箱
２、１０２  ゴミ箱本体
３、１０３  蓋
４  内容器（伝達部材）
５、１０５  ペダル
２２、１２２  ペダル収容部
２７、１２７  長穴
５１、１５１  ペダルの踏部
５２、１５２  ペダルの本体部
５３、１５３  ペダルの揺動軸
１０６  ロッド（伝達部材）
【図１】
2008137759.tif 000003
【図２】
2008137759.tif 000004
【図３】
2008137759.tif 000005
【図４】
2008137759.tif 000006
【図５】
2008137759.tif 000007
【図６】
2008137759.tif 000008
【図７】
2008137759.tif 000009
【図８】
2008137759.tif 000010
【図９】
2008137759.tif 000011